(57)【要約】【目的】これは、ヘソ軸パットという、球を左辺に置いて、ノーバックで、一直線に打つ、新打法出生にともなう、パターの改造出願である。【構成】先ずパターのシヤフトの取付角度を鋭角にする。そしてヘッドの厚さを１２ミリぐらいの板状にする。ショートでは、球を左足先の横１５ｃｍにおく、そしてアドレスを、左足先横にとり、球を見ずにラインを見て球をめくら打ちする。【選択図】図１
2004321761.tif 000002
【特許請求の範囲】
【請求項１】
シヤフトの長さが、７５〜８５ｃｍの間である事を特徴とする、ヘソ軸パット用のパター。
【請求項２】
シヤフトの取着け角度が、垂直線に対して、１０〜１４度迄の間である事を特徴とする、ヘソ軸パット用のパター。
【請求項３】
ヘッドの厚さが、１０〜１４ミリの間である事を特徴とする、両面パター。
【請求項４】
ヘッドの最大厚が、１０〜１４ミリで、裏面にクボミを着けたり、トウやヒールを厚く重く作ったり、エンディングラインを薄く作ったりする、請求項第３項以外の、ピン型等の４度からマイナス５度の、ロフト角の一面パター。
【請求項５】
図１のＢ′に示す等、４度からマイナス５度迄のロフト角の両面パター。
【発明の詳細な説明】
【０００１】
【産業上の利用分野】
類似調査の結果一類似出顔なし。
これは平成１５年４月１８日付、特許出願、短軸・立軸・板状のアイアンの関連出願である。
原出願とは、ヘソ軸パットという、球を左辺において、ノーバックで、一直線にめくら打ちする、という、新打法出生にともなう、一番アイアンの改造出願であった。
その内容は、一番以下、マイナス５度迄のアイアンを作り、この新アイアンをパターとして使う、というものであった。
ここに登場するのは、ヘソ軸パット用の新しいパターを作る、というものである。
【０００２】
【従来の技術】
従来のパットは、球を正面に置いて打つ。球の位置が正面、という事は、打球時に球とカップの両方を見る、という事であり、したがって、従来のパットは二点集中の顔振りパット、と言い変える事が出来る。
ここに登場のヘソ軸パットでは、カップインライン一点に集中して、一直線にノーバックで、球をめくら打ちする。
何故？  ノーバックで球をめくら打ちするのかというと、従来の二点集中打法は、自然の法則に反した不合理打法、と思われるフシがあるからだ。
論より証拠、パットは意外性が強いとよく言われ、１ｍを３パットしたりする。この意外な事が起こる原因は、精神分裂同居の、二点集中打法にあり、よってここでは、従来の打法に問題を提起し、同時に一点集中用の新パターを作る、という次第である。
【０００３】
【発明が解決しようとする課題】
ヘソ軸パットでは、その名の通り、右ヒジをヘソ周辺に固定して、コンパクトなスイングで打つ。したがってヘソ軸パットとは、ヒジ軸パットと言い変える事が出来る。
図３のＤに示す従来のパットは肩軸で打って居るから、都合上これに肩軸パットという名前をつける。
ヘソ軸パットでは、先ず、シヤフトの長さを従来のパターより６ｃｍ程短かい７５〜８５ｃｍと決める。又、ヘソ軸パットでは、身体に近づけて打球するから、シヤフトの取着け角度をもっと鋭角にする。
既成のパターのシヤフト角は、約１５度ぐらいであるが、ヘソ軸パット用パターでは、これを１０〜１４度迄の間とする。
ちなみに申すと、ルールでシヤフトの角度は１０度以上となっており、既製のままだと、シヤトトが長過ぎ、又、シヤフトの角度も大き過ぎて、ヘソ軸パットには向かない関係にある。
【０００４】
【問題を解決する為の手段】
図１は、ヘソ軸パット用パター、板状パターの正面図、Ｂは、Ａ−Ａ線切断正面図である。
１は垂直線、点線２は、ルール上の最小角度１０度、である。
既製のパターのシヤフト角は約１５度である。仮りに、ルールで１０度以上と決められて居なければ、８度ぐらいしたいところであるが、ルールの為にこれは出来ない。
よってここでは、１０〜１４度迄の間を目指す。又、ヘッドについては、板状のやや薄いヘッドを志向する。ここに言う板状とは、図１のＢに示す如く、ヘッドの両面を並行に作る、という事である。これは、キヤッシュインに見られる如く、ルールが認めて居る作り方である。
既製のキヤッシュインと、図１のヘッドの違いは、ロフト角だけである。図１はロフト角ゼロである。ロフト角が既製のままだと、左辺に置かれた球は打ちにくく、左辺遠くの球は、マイナスロフトにした方が打ち易い関係にある。
したがってここでは、４度からマイナス５度迄の間のロフト角とし、ジヤストミートの安定確率の高揚をはかる。
又、図１の両方ヘッドとは別に、ここでは、一面のピン型タイプのヘッド創作を考える。この場合は、ヘッドの最大厚を１０〜１４ミリとし、裏面にクボミを着けたり、ヘッドのトウやヒールを重たくしたり、エンディングラインを薄くしたりして、既製のピン型タイプより、やや薄いヘッドとする。
つまり、既製のピン型のソールの長さは約３ｃｍであるが、このソールの長さを１０〜１４ミリにする、というわけである。
【０００５】
【作用】
狙いを定める競技において、現行のパットの如く、二点に集中する、などというのは皆無である−−。狙いというのは当然一点にしぼられるべきものであり、ヘソ軸パット出生の原流はここにある。
ヘソ軸パットなる、この発明、このフオーム、この用具の作用の特徴は、意にかなうパットが出来る、という事である。意にかなう、という言葉の対象が、意外性、という言葉である。
世間には多種多様な競技があるが、知る限りでは、パット以外に意外性という言葉が定着して居るケースは無い。
つまり、ヘソ軸パットの出現によって、従来のパットの不合理性が、問題点として浮上、という関係にあり、この事がこの発明の作用の主たる流れである。
ヘソ軸パットの作用は、既製のキヤッシュインと球を庭先に持ち出して、図の如く、又、説の如く実験すれば、一応、これを確認出来る。
或一人というのは、世間のしゅく図であり、或一人に起きる作用は、世間に通ずる作用と見て先ず間違いなさそうである。
ヘソ軸パットとは、身辺と用具が関わる法則界に存在して居た作用のうち、未知なる部分が人里におりて来た、というだけの現像である。
【０００６】
【実施例】
上記によって、ヘソ軸パットとは、真新しい組立と分って来たが、このヘソ軸パットは更に進化を続け、パット界にこれ迄に類例のない改革をもたらす状況が出て来た感がある。
図３のＥは、サイド・サドルと、ヘソ軸パットの合流平面図である。ヘソ軸パットは図２で示す如く、左向きであるが、人の目の構造というのは、左右動より上下動の方が自然であるのは自明−−。
論より証拠、目を２〜３度上下に動かして見た後、次に、左右に２〜３度動かして見ると、目の運動と機能からして、現行パット及び図２ヘソ軸パットというものが、如何に不自然な、未完成な、視野が狹い、異状なものであるかが納得されて来る。
将来的には、おのずから前向きの、目の上下運動で球や状況を掴むサイド・サドルが主流として浮上するものと思われる。
サイド・サドルでも、アドレス位置を球から引離したり一直線にめくら打ちしたり、ノーバックで打つ等、打ち方の基本は、左向きのヘソ軸パットと全く同じである。
この打ち方で球は軽く２０ｍ転がって行く、４０ｍの超大ロングもＯＫである。このサイド・サドルは、右横腹軸で打つ。キヤッシュインと球を庭先と持ち出し実験して見ると良い。多分、自力でパット界の将来が予見出来る様になる。
【０００７】
【発明の効果】
ヘソ軸パットでは、１ｃｍ単位の正確な球いじりが出来る。ところが、肩軸パットでは、２〜３ｃｍ単位の球いじりも出来ない。この二つの球いじりを体験する迄は何人も、ヘソ軸パットの何たるかは、分らずじまいと決って居る。
パットというのは、要するに、小細工、小ワザの連続であり、肩軸とヘソ軸とで、どちらが球いじり競争で勝ち残れるか？  というこれがテーマである。
グリーン上に新鮮な夢を運び、パット活性化に貢献するを持って効果とする。
【図面の簡単な説明】
【図１】は、ヘソ軸パット用パターの正面図。
【図２】は、ヘソ軸パットの、アドレス位置説明図。
【図３】は、新、旧、パットの状況図、それにサイド・サドル平面図。
【符号の説明】
Ａは切断位置。
Ｂは、切断面、正面図。Ｂ′は、逆ロフトヘッドの断面、Ｂ″は同じくピン型断面。
Ｃは、ヘソ軸パット実況図。
Ｄは、従来のパット実況図。
Ｅは、サイド・サドルの、球とアドレスの位置図。
１は、垂直線。
２は、立軸の角度。
３、３′は球の位置。
４、４′は、ショート及びロングのアドレス位置。
【図１】
2004321761.tif 000003
【図２】
2004321761.tif 000004
【図３】
2004321761.tif 000005